(57)【要約】【課題】耐熱性や耐火性に優れていることはもちろん、耐久性においても従来の金属製バケツに勝り、しかも軽量化による取り扱い性にも優れた吸殻収集容器を提供する。【解決手段】吸殻収集容器Ｖは、底壁部１１と、この底壁部１１の周縁から立ち上がる筒状側壁部１２とを備える樹脂製の外側容器１、および、外側容器１の内部に着脱可能に装着された金属製の内側容器２を備えている。【選択図】　図１
0003097539.tif 000002
【実用新案登録請求の範囲】
【請求項１】
底壁部と、この底壁部の周縁から立ち上がる筒状側壁部とを備える樹脂製の外側容器、および、上記外側容器の内部に着脱可能に装着された金属製の内側容器を備えていることを特徴とする、吸殻収集容器。
【請求項２】
上記内側容器は、底壁部と、この底壁部の周縁から立ち上がる筒状側壁部とを備え、上記外側容器に対して入れ子状に装着されており、この内側容器の底壁部および／または筒状側壁部の下方には、この内側容器の内外を連通させる通水孔が形成されている、請求項１に記載の吸殻収集容器。
【請求項３】
上記内側容器は、その全体が金網状部材またはパンチングメタル状部材によって形成されている、請求項２に記載の吸殻収集容器。
【請求項４】
上記外側容器の底壁部の内面には、この底壁部に対して上記内側容器の底壁部を離間させるための突起が形成されている、請求項２または３に記載の吸殻収集容器。
【請求項５】
上記外側容器の筒状側壁部の内面には、この筒状側壁部に対して上記内側容器の筒状側壁部を離間させるための突起が形成されている、請求項４に記載の吸殻収集容器。
【請求項６】
上記外側容器の筒状側壁部に形成される突起は、この筒状側壁部の下方において、上下方向に延びる複数のリブの形態とされている、請求項５に記載の吸殻収集容器。
【請求項７】
上記リブは、上記内側容器の筒状側壁部の外面に接触し、内側容器を所定の摩擦力をもって上記外側容器内に保持する、請求項６に記載の吸殻収集容器。
【請求項８】
上記内側容器の筒状側壁部の上端部には、上記外側容器の筒状側壁部の上端にオーバハングする外向フランジ部が形成されている、請求項５ないし７のいずれかに記載の吸殻収集容器。
【考案の詳細な説明】
【０００１】
【考案の属する技術分野】
本願考案は、駅やビルの清掃員が灰皿に溜まった吸殻を収集する場合等に用いる吸殻収集容器に関する。
【０００２】
【従来の技術】
この種の吸殻収集容器として、従来より、一般的な金属製バケツをその底部に水を張った状態で用いる場合が多い。このような金属製バケツは、それ自体耐火性、耐熱性を備えているため、火が付いたままの煙草が投入された場合であっても、樹脂製バケツとは異なり、火種部が直接触れても熱による損壊がない。また、上記煙草は水に触れて即座に消火されるため、安全に吸殻収集作業を行なうことができるし、大型の灰皿代用品として用いることもできる。
【０００３】
【考案が解決しようとする課題】
ところで、このような金属製バケツは、底部板と、筒状の側壁板とをたとえばカシメやロウ付けによって相互に接合して組み立てられたものである。そのため、荒っぽく扱ったり、落下させるなどしてこのバケツに頻繁に外力が作用すると、底部板と側壁部との接合部が破損してしまい、破損部周辺から水漏れが発生し、上記のように水を張ることができなくなることが多々あった。このように、金属製バケツは、水を張った状態で吸殻収集容器として用いる場合、必ずしも耐久性に優れているとはいえなかった。
【０００４】
また、金属製バケツは、それ自体重量があるため、これに水を張った状態ではさらに重量が増加する。そのため、吸殻収集のために持ち運ぶには、必ずしも取り扱い性に優れたものとはいえなかった。
【０００５】
本願考案は、上記した事情のもとで考え出されたものであって、耐熱性や耐火性に優れていることはもちろん、耐久性においても従来の金属製バケツに勝り、しかも軽量化による取り扱い性にも優れた吸殻収集容器を提供することをその課題としている。
【０００６】
【考案の開示】
上記の課題を解決するために、本願考案では、次の技術的手段を講じている。
【０００７】
すなわち、本願考案によって提供される吸殻収集容器は、底壁部と、この底壁部の周縁から立ち上がる筒状側壁部とを備える樹脂製の外側容器、および、上記外側容器の内部に着脱可能に装着された金属製の内側容器を備えていることを特徴としている。
【０００８】
本願考案に係る吸殻収集容器は、底壁部に水を張った状態で使用するのが好ましい。火の付いた煙草が投入されたとしても、この煙草が水に触れることによって即座に消火される。また、水が少なくなっていたり、なくなっていたりしても、火の付いた煙草が金属製の内側容器に接触する限りにおいて、熱が急速に内側容器に伝わるために火炎が発生するといったことは、少ない。このように、本願考案に係る吸殻収集容器は、耐火性、耐熱性において、問題なく使用することができる。
【０００９】
また、外側容器は、樹脂一体成形によって形成することができるので、水漏れが発生することは殆ど皆無となる。また、外側容器は、樹脂製であるが故に、外力に対する衝撃吸収能力を備えているため、容易に破損するといったことはない。したがって、本願考案に係る吸殻収集容器は、実用上の耐久性にも優れたものとなる。
【００１０】
さらに、内側容器は、金属製ではあるが、外部に露出するものではないためにそれほど強度を必要とすることはなく、後記するように、全体を金網状としたり、パンチングメタル状とすることもできるので、軽量化が可能である。したがって、本願考案に係る吸殻収集容器は、外側容器が軽量の樹脂製であることと相まって、全体としての軽量化が可能となる。
【００１１】
好ましい実施の形態においては、上記内側容器は、底壁部と、この底壁部の周縁から立ち上がる筒状側壁部とを備え、上記外側容器に対して入れ子状に装着されており、この内側容器の底壁部および／または筒状側壁部の下方には、この内側容器の内外を連通させる通水孔が形成されている。
【００１２】
収集した吸殻を廃棄する場合、内部に吸殻が溜まった内側容器を外側容器から取り外す。この場合、水の多くは通水孔を通って落下して外側容器に残されるので、その分、内側容器が軽くなって吸殻廃棄作業が楽になる。また、廃棄された吸殻に含まれる水分が少なくなるので、焼却のためのエネルギが少なくて済み、省エネルギにもつながる。
【００１３】
好ましい実施の形態においては、上記内側容器は、その全体が金網状部材またはパンチングメタル状部材によって形成されている。
【００１４】
このようにすれば、上記した通水孔を自然に形成することができながら、内側容器を軽量化することができる。
【００１５】
好ましい実施の形態においてはさらに、上記外側容器の底壁部の内面には、この底壁部に対して上記内側容器の底壁部を離間させるための突起が形成されており、また、上記外側容器の筒状側壁部の内面には、この筒状側壁部に対して上記内側容器の筒状側壁部を離間させるための突起が形成されている。
【００１６】
このようにすれば、仮にこの吸殻収集容器内の水が少なくなっていて、火の付いた煙草が直接内側容器に接触することがあっても、この煙草の熱が外側容器に悪影響を及ぼすことを回避することができる。
【００１７】
好ましい実施の形態においてはさらに、上記外側容器の筒状側壁部に形成される突起は、この筒状側壁部の下方において、上下方向に延びる複数のリブの形態とされており、かつ、上記リブは、上記内側容器の筒状側壁部の外面に接触し、内側容器を所定の摩擦力をもって上記外側容器内に保持する。
【００１８】
このようにすれば、内側容器を外側容器内に安定的に保持することができ、また、上記リブによって外側容器が補強される。
【００１９】
好ましい実施の形態においてはさらに、上記内側容器の筒状側壁部の上端部には、上記外側容器の筒状側壁部の上端にオーバハングする外向フランジ部が形成されている。
【００２０】
このようにすれば、上記外側容器の筒状側壁部と上記内側容器の筒状側壁部との間に吸殻が入り込むことをより確実に防止することができる。
【００２１】
本願考案のその他の特徴および利点については、以下に行う考案の実施の形態の説明から、より明らかになるであろう。
【００２２】
【考案の実施の形態】
以下、本願考案の好ましい実施の形態について、図面を参照しつつ具体的に説明する。
【００２３】
図１は、本願考案に係る吸殻収集容器の一実施形態を示している。本実施形態の吸殻収集容器Ｖは、駅やビルに設置された灰皿に溜まった吸殻を清掃員が収集する場合などに用いるものであり、通常、底部に水Ｗを張った状態で使用する。この吸殻収集容器Ｖは、樹脂製の外側容器１に対して金属製の内側容器２が入れ子状に装着された構造を有しており、この内側容器２の内部に吸殻Ｃが収容される。
【００２４】
外側容器１は、底壁部１１と、筒状側壁部１２とを備えている。この外側容器１は、たとえば射出成形法により一体成形される。底壁部１１は、たとえば略円形状であり、その内面の中央部分には略半球状の突起１１１が形成されている。筒状側壁部１２は、底壁部１１の周囲を取り囲んでおり、この筒状側壁部１２の下端部１２２が底壁部１１の周縁に繋がっている。筒状側壁部１２は、その上端部１２１の方が下端部１２２よりも大径となるように、底壁部１１の周縁から上方に向けてテーパ状に起立している。筒状側壁部１２の内面の下端部１２２近傍には、たとえば上下方向に延びる細長板状の複数のリブ１２３が繋がっている。複数のリブ１２３は、筒状側壁部１２の周方向に間隔を隔てて並べられている。各リブ１２３の幅ｗは、たとえば５ｍｍ程度である。
【００２５】
内側容器２は、外側容器１と同様に、底壁部２１と、この底壁部２１の周縁から立ち上がる筒状側壁部２２とを備えている。底壁部２１は、外側容器１の突起１１１に接触しており、外側容器１の底壁部１１とは突起１１１を挟んで離間している。筒状側壁部２２は、外側容器１の各リブ１２３に接触しており、外側容器１の筒状側壁部１２とは、その略全体にわたって各リブ１２３の幅ｗと略同一の間隔を隔てている。内側容器２は、このような状態で外側容器１に固定されておらず、外側容器１の内外に出し入れ自在である。
【００２６】
内側容器２は、金網状部材またはパンチングメタル状部材によって形成されている。このため、内側容器２のたとえば全体には、この内側容器２の内外を連通させる複数の通水孔２１１が形成されている。各通水孔２１１は、たとえば２ｍｍ四方の角孔であり、内側容器２内の水Ｗを外部に排出させることができる。
【００２７】
外側容器１の筒状側壁部１２の上方には、取っ手３が回動自在に取り付けられている。この取っ手３は、取っ手本体３１と、この取っ手本体３１の中央部に配された把持部３２とから構成されている。取っ手本体３１は、たとえば金属製の細長棒状であり、略逆Ｕ字状の形態を有している。外側容器１の筒状側壁部１２には一対の貫通孔１２４が形成されており、これら一対の貫通孔１２４を形成する周壁部に取っ手本体３１の両端部３１１が係止されている。把持部３２は、たとえば樹脂製であり、持ち心地を良くするのに役立っている。
【００２８】
次に、吸殻収集容器Ｖの作用について説明する。
【００２９】
吸殻収集容器Ｖ内には、通常、水Ｗが張られているため、この吸殻収集容器Ｖ内に火が付いた煙草が投入された場合であっても、この煙草が水Ｗに触れることによって、煙草の火は瞬時に消されることとなる。したがって、火炎の発生を抑制することができる。
【００３０】
外側容器１は、射出成形法などにより一体成形されているため、この外側容器１を粗雑に扱うなどしてたとえば底壁部１１と筒状側壁部１２との境界部分に外力が頻繁に作用した場合であっても、たとえば底板部および側壁部がカシメなどによって相互に接合した金属製バケツとは異なり、底壁部１１と筒状側壁部１２との間に隙間が生じるようなことはない。このため、水漏れの発生を適正に防止することができる。
【００３１】
外側容器１は、樹脂製であり、耐衝撃性に優れているため、容易に破損することはない。また、外側容器１の筒状側壁部１２には、上下方向に延びるリブ１２３が設けられているため、筒状側壁部１２の面外方向の曲げ剛性などが高められており、外側容器１の補強が図られている。したがって、吸殻収集容器Ｖは、実用上の耐久性に優れたものとなっている。
【００３２】
外側容器１の内部には内側容器２が装着されているため、たとえば水Ｗが張られる前の吸殻収集容器Ｖ内に火の付いた煙草が投入されたとしても、この煙草と内側容器２とは接触するものの、この煙草と外側容器１とが接触することは殆ど皆無である。このため、外側容器１の溶化を防止することができる。外側容器１および内側容器２の筒状側壁部１２，２２は、リブ１２３によって一定の間隔を隔てているとともに、外側容器１および内側容器２の底壁部１１，２１も突起１１１によって一定の間隔を隔てているため、上記煙草の火の熱は外側容器１に伝わり難くなっており、外側容器１の溶化はより確実に防止される。なお、内側容器２は耐火性や耐熱性に優れているため、内側容器２と上記煙草との接触により火炎が発生することは少ない。したがって、吸殻収集容器Ｖは、耐火性や耐熱性に優れたものとなっている。
【００３３】
内側容器２は、金属製ではあるものの、複数の通水孔２１１が形成された金網状またはパンチングメタル状となっているため、たとえばプレート状の場合と比較すると、軽量となっている。外側容器１も樹脂製であり、軽量であるため、吸殻収集容器Ｖ全体としても軽量化が図られている。したがって、吸殻収集容器Ｖは、吸殻収集のために持ち運ぶのに好適なものとなっており、取り扱い性が良好である。また、内側容器２は、金網状部材およびパンチングメタル状部材によって形成されているため、たとえばプレート状部材を用いる場合とは異なり、各通水孔２１１を形成する工程を省くことができる。このため、製造コストの低減化を図ることが可能となる。
【００３４】
内側容器２は、金網状またはパンチングメタル状であることに加え、外側容器１から取り外すことができるため、この内側容器２の内部に溜まった吸殻Ｃを廃棄する場合に好適となる。すなわち、図２によく表れているように、内側容器２を上方に引き上げると、水Ｗの多くは、内側容器２の各通水孔２１１を通って外側容器１内に落下することとなる。これに対し、吸殻Ｃは、各通水孔２１１がたとえば２ｍｍ四方の角孔であるため、各通水孔２１１を通過することなく内側容器２内に残ることとなる。したがって、内側容器２内に水Ｗがほとんど残っていない分、たとえば水とともに吸殻を廃棄する場合と比較すると、内側容器２の持ち運びが楽になるとともに、内側容器２内に溜まったすべての吸殻Ｃを掬い上げることができるため、吸殻廃棄作業は容易になる。また、このように吸殻Ｃとともに廃棄される水Ｗの量が少なければ、焼却のためのエネルギが少なくて済むため、省エネルギ化を図ることも可能となる。
【００３５】
内側容器２の筒状側壁部２２は、外側容器１のリブ１２３に接触しているため、内側容器２は、これとリブ１２３との間に作用する摩擦力によって外側容器１内に安定的に保持される。外側容器１の筒状側壁部１２と内側容器２の筒状側壁部２２との間隔は、たとえば５ｍｍ程度であり、通常の煙草の径よりも小であるため、それらの間に吸殻Ｃが入り込むことも少ない。
【００３６】
本願考案に係る吸殻収集容器の各部の具体的な構成は、種々に設計変更自在である。たとえば、内側容器は、図３に示されているような構造にすることもできる。なお、図３においては、上記実施形態と同一または類似の要素には、上記実施形態と同一の符号を付している。図３に示す内側容器２の筒状側壁部２２の上端部２２１には、外側容器１の筒状側壁部１２の上端にオーバハングする外向フランジ部２２２が形成されている。このような構成によれば、外向フランジ部２２２が外側容器１の筒状側壁部１２および内側容器２の筒状側壁部２２間の隙間の上方を覆っているため、吸殻Ｃが上記隙間に不用意に入り込むことをより確実に防止することができる。
【００３７】
内側容器は、その全体に通水孔が形成された構造に限定されず、たとえば底壁部や筒状側壁部の下方部分のみに通水孔が形成された構造とすることもできる。外側容器および内側容器の筒状側壁部を離間させるのは、略細長板状のリブでなくてもよく、たとえば略半球状の突起であってもよい。外側容器の底壁部に設けられた突起の数は、１つに限定されず、２つまたはそれ以上であってもよい。
【図面の簡単な説明】
【図１】本願考案に係る吸殻収集容器の一実施形態を示す断面図である。
【図２】図１に示す吸殻収集容器の作用を示す断面図である。
【図３】本願考案に係る吸殻収集容器の他の実施形態を示す要部断面図である。
【符号の説明】
１　外側容器
１１　底壁部
１１１　突起
１２　筒状側壁部
１２３　リブ
１２４　一対の貫通孔
２　内側容器
２１　底壁部
２１１　複数の通水孔
２２２　外向フランジ部
２２　筒状側壁部
【図１】
0003097539.tif 000003
【図２】
0003097539.tif 000004
【図３】
0003097539.tif 000005